(57)【要約】【課題】  不具合の対応や改善に有益な情報を備えることができる細断処理装置を提供する。【解決手段】  制御部の一部をなすＮＶＭ６０の領域は、第１の領域６１と第２の領域６２と第３の領域６３とに分割されている。第１の領域６１は、通常操作用領域６１ａと通常エラー用領域６１ｂと紙詰まり用領域６１ｃとシステムエラー用領域６１ｄのリングバッファの領域に細分されている。通常操作用領域６１ａには「通常操作」イベントカテゴリに属するログデータが書き込まれる。また、通常エラー用領域６１ｂには「通常エラー」イベントカテゴリに属するログデータが書き込まれる。紙詰まり用領域６１ｃには「紙詰まり」イベントカテゴリに属するログデータが書き込まれる。システムエラー用領域６１ｄには「システムエラー」イベントカテゴリに属するログデータが書き込まれる。【選択図】  図３
2006159105.tif 000002
【特許請求の範囲】
【請求項１】
投入された用紙を細断処理する細断処理手段と、
前記細断処理手段のエラーログが格納されるメモリと
を含む細断処理装置。
【請求項２】
前記メモリに格納されるエラーログは、前記細断処理手段の他のログが格納される領域と区別された領域に格納されることを特徴とする請求項１に記載の細断処理装置。
【請求項３】
前記メモリは、リングバッファであることを特徴とする請求項１に記載の細断処理装置。
【請求項４】
投入された用紙を細断処理する細断処理手段と、
前記細断処理装置のログの中で第１のカテゴリに属するログが格納される第１のバッファと、
当該細断処理装置のログの中で第２のカテゴリに属するログが格納される第２のバッファと
を含む細断処理装置。
【請求項５】
前記第１のカテゴリに属するログは、前記第２のカテゴリに属するログよりも重要性が高いログであることを特徴とする請求項４に記載の細断処理装置。
【請求項６】
投入された用紙を細断処理する細断処理手段のログをメモリに保存するログ保存方法であって、
前記ログを予め定められたカテゴリごとに分類し、
前記メモリを複数の領域に分割し、
予め定められた前記カテゴリを前記複数の領域の各々に対応付けし、
前記ログを、前記複数の領域の中の当該ログの前記カテゴリに対応する領域に保存する
ことを含むログ保存方法。
【請求項７】
前記メモリは不揮発性メモリであり、
前記メモリの前記領域に、前記細断処理手段の累積稼動時間が保存され、
前記細断処理手段が細断処理を行っているときに、細断処理中という情報と当該細断処理が開始されてからの経過時間情報とが前記メモリの前記領域に書き込まれることを特徴とする請求項６に記載のログ保存方法。
【発明の詳細な説明】
【技術分野】
【０００１】
本発明は、細断処理装置に係り、より詳しくは、廃棄する用紙を細断処理するための細断処理装置および細断処理装置に用いるログ保存方法に関するものである。
【背景技術】
【０００２】
情報化社会が高度に進化するに伴って各種の画像形成装置（プリンタ）が普及し、機密性のある文書の不用意な拡散という問題が懸念される。また、機密性のある文書を扱う機会が増えるに従って情報漏洩の危険等に対する意識が高まっている。このような背景から、機密性のある文書を廃棄する際には、情報漏洩の防止やプライバシー保護等のためにその機密文書をシュレッダ(shredder)で細断処理することが一般的に行われている。
また、環境問題に対する意識の高まりから紙資源を有効に利用すべく、細断処理の結果物である紙片（細断物）を焼却処分せずに、例えば梱包品の緩衝材や再生紙の原料として再利用されている。
【０００３】
このようなシュレッダには、細断処理のための駆動源として電動のモータ（電動機）を内蔵しているものがある。すなわち、細断処理すべき文書が投入口に投入されたことを、投入口に設けられたセンサが検出すると、自動的にモータが作動して回転刃を回転させる。回転刃が回転すると、それに伴って投入口の文書がシュレッダの内部に引き込まれていき、文書の細断処理が開始される。そして、投入口に投入された文書のすべてについて細断処理が終了したと判別したときには自動的にモータが停止し、回転刃の回転が止まる。
【０００４】
ここで、このようなシュレッダに記憶手段を含ませる構成が提案されている（例えば、特許文献１参照）。
特許文献１には、シュレッダを機密書類管理システムおよび機密書類閲覧端末にネットワークを介して相互に接続する構成が開示されている。このシュレッダは、データを格納する記憶媒体を含む記憶手段と、演算処理装置を含む処理手段と、ネットワークに接続する外部機器に対して情報の送受信を行う通信手段とを備えている。また、シュレッダは、切断される書類に記載された情報を当該書類から取得する書類記載情報取得手段と、利用者を認証するための認証情報を取得する認証情報取得手段とを備えている。
そして、書類記載情報取得手段により取得された書類記載情報に基づいて、シュレッダにより切断される書類が予め定められた複数の区分のいずれかに該当するかが処理手段により判定され、その区分と共に書類記載情報が記憶手段の所定の領域に処理手段により格納される。また、認証情報取得手段により取得された利用者の認証情報が、書類記載情報と関連付けて記憶手段の所定の領域に処理手段により格納される。また、記憶手段には、書類記載情報および認証情報を管理するためのデータベースと、書類記載情報の格納履歴とが処理手段により格納される。
記憶手段に格納された書類記載情報や利用者の認証情報は、処理手段により通信手段を介して機密書類管理システム等に送信される。
【０００５】
【特許文献１】特開２００３−６２４７６号公報(第６〜７頁および第９頁、図１)
【発明の開示】
【発明が解決しようとする課題】
【０００６】
ここで、例えば、使用頻度が高いシュレッダについては、通常よりも早めにモータ等の部品交換が必要となる場合がある。また、紙詰まりが頻繁に発生するシュレッダについては、紙詰まりの原因が比較的厚い紙を細断処理することが多いからであり、モータのトルクアップ等の対策が必要となる場合がある。このように、シュレッダの日頃の使用状況等が分かれば、シュレッダに不具合が発生したときに対応することが容易であり、また、予め使用状況に応じて予め対策を講じることも可能になる。
しかしながら、特許文献１によるシュレッダの記憶手段に格納されているシュレッダの使用者の認証情報では、誰がシュレッダを使用したかを把握できるだけで、シュレッダの稼働状況を把握することは難しい。また、記憶手段に格納されている書類記載情報、認証情報、データベースおよび格納履歴でも同様にシュレッダの稼働状況を把握するのは難しい。
【０００７】
本発明は、以上のような技術的課題を解決するためになされたものであり、その目的とするところは、不具合の対応や改善に有益な情報を備えることができる細断処理装置を提供することにある。
【課題を解決するための手段】
【０００８】
かかる目的のもと、本発明が適用される細断処理装置は、投入された用紙を細断処理する細断処理手段と、細断処理手段のエラーログが格納されるメモリとを含むものである。
ここで、メモリに格納されるエラーログは、細断処理手段の他のログが格納される領域と区別された領域に格納されることを特徴とすれば、重要性の高いエラーログの一元管理が可能となり、誤って消去される等を防ぐことができる点で好ましい。また、メモリは、リングバッファであることを特徴とすれば、メモリの有効利用を図れる点で優れている。
【０００９】
他の観点から捉えると、本発明が適用される細断処理装置は、投入された用紙を細断処理する細断処理手段と、細断処理装置のログの中で第１のカテゴリに属するログが格納される第１のバッファと、細断処理装置のログの中で第２のカテゴリに属するログが格納される第２のバッファとを含むものである。
ここで、第１のカテゴリに属するログは、第２のカテゴリに属するログよりも重要性が高いログであることを特徴とすることができる。すなわち、重要性の高いカテゴリとそれよりも低いカテゴリとを分類して、各カテゴリに属するログを異なるバッファに格納することを特徴とすることができる。重要性の高いカテゴリに属するログとしては、例えばエラーログを挙げることができる。当然ながら、第１のカテゴリと第２のカテゴリのほかに、それ以外のカテゴリ、例えば第３のカテゴリや第４のカテゴリを有する場合も、上記の発明に含まれる。同様に、第１のバッファと第２のバッファのほかに、それ以外のバッファ、例えば第３のバッファや第４のバッファを有する場合も、上記の発明に含まれる。
【００１０】
更に本発明を別の観点から捉えると、本発明が適用されるログ保存方法は、投入された用紙を細断処理する細断処理手段のログをメモリに保存するログ保存方法であって、ログを予め定められたカテゴリごとに分類し、メモリを複数の領域に分割し、予め定められたカテゴリを複数の領域の各々に対応付けし、ログを、複数の領域の中のログのカテゴリに対応する領域に保存することを含むものである。
【００１１】
ここで、メモリは不揮発性メモリであり、メモリの領域に、細断処理手段の累積稼動時間が保存され、細断処理手段が細断処理を行っているときに、細断処理中という情報と細断処理が開始されてからの経過時間情報とがメモリの領域に書き込まれることを特徴とすれば、細断処理中に電源断となっても、その稼働時間を累積稼働時間に加算することが可能となる点で優れている。
【発明の効果】
【００１２】
本発明によれば、細断処理装置の不具合が発生した時に迅速な対応が可能となり、また、不具合が発生しないように細断処理装置を改善することが容易になる。
【発明を実施するための最良の形態】
【００１３】
以下、添付図面を参照して、本発明の実施の形態について詳細に説明する。
図１は、本実施の形態に係る古紙の処理装置（以下、古紙処理装置とも言う）を示す概略構成図である。同図に示す古紙処理装置は、装置の上部を構成する上面部１と、上面部１に設けられ、廃棄する古紙（細断処理すべき用紙）が投入される投入部１１とを備えている。また、古紙処理装置は、上面部１の投入部１１に投入された古紙の処理（細断処理等）を行うとともに処理済み古紙（以下、チップとも言う）を内部に一時的に収容する本体部２を備えている。また、古紙処理装置は、本体部２における古紙の処理等の指示を使用者が出すとともに古紙の処理等に関して使用者への通知事項を表示するための操作表示部５を上面部１に備えている。また、古紙処理装置は、本体部２の内部に収容されたチップを装置外へ排出する際に開閉可能な開閉扉２５と、この開閉扉２５に設けられ、本体部２の内部に収容されたチップの量を視認可能な窓２５ａと、本体部２の移動を可能にするためのキャスタ２６とを備えている。なお、窓２５ａには、光を透過する部材２５ｂが嵌め込まれている。
【００１４】
図２は、古紙処理装置の内部を示す概略構成図である。同図に示すように、古紙処理装置の本体部２は、投入された古紙がチップになるように破砕する破砕ユニット３と、破砕ユニット３により形作られたチップが塊になるように圧縮する圧縮ユニット４とを備えている。また、古紙処理装置の本体部２は、圧縮ユニット４で形成されたチップの塊を移送する移送部としてのダクト２１と、ダクト２１により移送されたチップの塊を収容する収容部としてのボックス２２とを備えている。
また、古紙処理装置の本体部２は、装置内部の空気流を強制的に形成するためのファン２３と、破砕ユニット３や圧縮ユニット４等（各部）の動作を制御する制御部６と、外部からの電源供給についてＯＮ／ＯＦＦの操作を使用者が行うための主電源スイッチ（メインスイッチ）２４とを備えている。また、外部からの電源供給は、インレット付きブレーカ２４ａを介してなされる。
【００１５】
破砕ユニット３は、互いに略平行である第１の回転軸３１Ａおよび第２の回転軸３１Ｂと、第１の回転軸３１Ａに取り付けられた複数の回転刃３３Ａからなる第１の回転刃列３２Ａと、第２の回転軸３１Ｂに取り付けられた複数の回転刃３３Ｂからなる第２の回転刃列３２Ｂと、第１の回転刃列３２Ａにおいて隣り合う回転刃３３Ａの間に位置し、古紙を第１の回転刃列３２Ａに押し付けるための第１の押付部材３４Ａと、第２の回転刃列３２Ｂにおいて隣り合う回転刃３３Ｂの間に位置し、古紙を第２の回転刃列３２Ｂに押し付けるための第２の押付部材３４Ｂと、第１の回転刃列３２Ａおよび第２の回転刃列３２Ｂの駆動源としての破砕モータ３６とを有する。なお、各回転刃３３Ａ，３３Ｂは、円形板状部材であり、その周面に外方に延びる複数の刃が形成されている。
【００１６】
第１の回転刃列３２Ａおよび第２の回転刃列３２Ｂを構成する回転刃３３Ａ，３３Ｂの各々は、第１の回転軸３１Ａおよび第２の回転軸３１Ｂの軸方向（紙面垂直方向）に沿って所定の間隔に配置されている。そして、第１の回転刃列３２Ａと第２の回転刃列３２Ｂとの相互の位置関係は、一方の回転刃列の回転刃が、他方の回転刃列の隣り合う回転刃の間に位置するようになっている。すなわち、第１の回転刃列３２Ａの回転刃３３Ａおよび第２の回転刃列３２Ｂの回転刃３３Ｂは、第１の回転軸３１Ａおよび第２の回転軸３１Ｂの軸方向に関して互い違いになるように配置されている。また、第１の回転刃列３２Ａと第２の回転刃列３２Ｂとの相互の位置関係は、一方の回転刃列の回転刃が他方の回転刃列の隣り合う回転刃の間に入り込むようになっている。
このような互い違い配置かつ入り込み配置の回転刃３３Ａ，３３Ｂによって、重なり領域である噛合部３５が形成されている。
【００１７】
破砕モータ３６は、制御部６により制御されている。そして、破砕モータ３６で発生した駆動力は、図示しない駆動伝達系（例えば駆動ベルト）を介して第１の回転軸３１Ａおよび第２の回転軸３１Ｂに伝達される。これら第１の回転軸３１Ａおよび第２の回転軸３１Ｂに駆動力が伝達されることにより、第１の回転刃列３２Ａおよび第２の回転刃列３２Ｂが回転する。
ここで、第１の回転刃列３２Ａの回転方向と第２の回転刃列３２Ｂの回転方向とは互いに反対方向である。すなわち、一方の回転刃列が時計方向に回転し、他方の回転刃列が反時計方向に回転する。具体的には、通常（正回転時）には、図２に示すように、第１の回転刃列３２Ａは時計方向に回転し、第２の回転刃列３２Ｂは反時計方向に回転する。これにより、噛合部３５の噛合側３５ａは、回転軸３１Ａ，３１Ｂの位置よりも下方に位置し、噛合部３５の反噛合側３５ｂは回転軸３１Ａ，３１Ｂの位置よりも上方に位置する。また、破砕モータ３６は、正逆反転が可能なものであり、第１の回転刃列３２Ａおよび第２の回転刃列３２Ｂを図２の矢印方向とは反対の方向に回転させることも可能である。その場合には、噛合部３５の噛合側３５ａと反噛合側３５ｂとが互いに反対の位置になる。
また、第１の回転刃列３２Ａの回転速度（周速度）と第２の回転刃列３２Ｂの回転速度とは互いに異なっている。すなわち、古紙投入側に位置する第１の回転刃列３２Ａは遅く（低速）回転し、古紙投入側とは反対側に位置する第２の回転刃列３２Ｂは速く（高速）回転する。その速度差は例えば２倍の値を採用することができる。
【００１８】
破砕ユニット３の下方には圧縮ユニット４が設けられている。この圧縮ユニット４は、破砕ユニット３から落下するチップを受け入れるホッパ４１と、ホッパ４１に受け入れられたチップが連続して供給される筒状部材４２と、筒状部材４２の中に回動自在に配置されたスクリュ４３と、スクリュ４３の駆動源としての圧縮モータ４４とを有する。
スクリュ４３は、筒状部材４２の中で支持された回転軸４３ａの軸方向に沿って延びるようにらせん状のスクリュ片４３ｂが回転軸４３ａに取り付けられて構成されている。すなわち、スクリュ４３は、一方向に回転することにより、ホッパ４１から筒状部材４２内に連続的に供給されたチップを下方に移動させる（押し出す）。筒状部材４２の下端部分４２ｂは、上端部分４２ａよりも開口径が狭く絞られた絞り形状である。この絞り形状により、チップを下端部分４２ｂで圧縮してチップの塊にすることができる。
圧縮モータ４４は、制御部６により制御されている。そして、圧縮モータ４４で発生した駆動力は、図示しない駆動伝達系を介してスクリュ４３に伝達される。スクリュ４３は、チップを下方に押し出す方向に回転する。
ここで、筒状部材４２内でチップがスクリュ４３の押圧力で円滑に前進できるように、スクリュ片４３ｂの円周方向での範囲は、回転軸４３ａを中心として３６０度以内とされている。また、スクリュ４３の回転に伴ってチップの塊が同じように回るだけで前進しない共回り現象を防止するために、筒状部材４２の内面には、長さ方向に延びる図示しない複数の小突起部が全周にわたって形成されている。
【００１９】
圧縮ユニット４に後続してダクト２１およびボックス２２が古紙処理装置の本体部２に設けられている。ダクト２１は、圧縮ユニット４の筒状部材４２の下流端４２ｃに接続されている。そして、ダクト２１内でチップの塊を移送するための特別な駆動源を必ずしも要しない。すなわち、ダクト２１内のチップの塊は、圧縮ユニット４のスクリュ４３の押圧力を利用して移送される。
ボックス２２は、ダクト２１内を移送されてダクト２１から排出されたチップの塊を受け取るように配置されている。そして、ボックス２２は、開閉扉２５を開けて本体部２から取り出し可能になっている。
【００２０】
古紙処理装置の本体部２には、各種のセンサ（検出ユニット）が取り付けられている。すなわち、古紙処理装置の本体部２には、投入部１１に古紙が投入されたことを検出するペーパーセンサ（用紙センサ）９０と、破砕ユニット３から落下してきたチップが圧縮ユニット４のホッパ４１内で満杯になっていることを検出するホッパ満杯検出センサ９２とが取り付けられている。また、古紙処理装置の本体部２には、本体部２の内部にボックス２２がセットされていることを検出するボックスセットセンサ９４と、ボックス２２内のチップが満杯に近い位置に達していることを検出するニア満杯センサ９６と、開閉扉２５が閉じてロックしていることを検出するドアセンサ（ドアインターロックスイッチ）９８とが取り付けられている。これらの各種センサ９０，９２，９４，９６，９８の検出結果は、制御部６に出力される。
【００２１】
ここで、古紙処理装置の本体部２の主電源スイッチ２４がＯＦＦからＯＮに操作されると、それを検出した制御部６により所定のイニシャライズ処理が開始される（イニシャライズ状態）。その後は、制御部６により古紙処理装置の状態管理が行われ、古紙処理装置の状態は、操作表示部５に表示される。
古紙処理装置の状態として、上述のイニシャライズ状態のほかに、停止状態、スタンバイ（待機）状態、処理状態、省電力状態、エラー発生状態およびシステムエラー状態がある。以下、各状態について簡単に説明する。
すなわち、所定のイニシャライズ処理が完了すると、古紙処理装置は停止状態になる。そして、停止状態において、図示しないスタートスイッチが押されると、スタンバイ状態に移行する。ペーパーセンサ９０が投入部１１に古紙が投入されたことを検出すると、処理状態に移行し、破砕ユニット３が作動して古紙の処理（細断処理）が開始される（オートスタート）。古紙の処理が終了すると、処理状態からスタンバイ状態に戻る（オートストップ）。
【００２２】
停止状態に移行してから所定の時間が経過しても操作されないときには、節電のために省電力状態に移行し、図示しないスタートボタンが押されるのを待つ。
そして、処理状態のときに、開閉扉２５が開けられたことがドアセンサ９８により検出されると、エラー発生状態になり、直ちに古紙の処理が中止される。なお、古紙処理装置の操作表示部５の一部を構成する非常停止ボタン（押しボタンスイッチ）５１が上面部１に設けられており、この非常停止ボタン５１が処理状態のときに押されると、強制的に停止されてエラー発生状態になる。また、紙詰まりであることを制御部６により判別されたときには、所定の紙詰まり処理が行われる。
また、例えば所定の紙詰まり処理によっても紙詰まりが解除できない等のカスタマーサービスを呼ばなければ対処できない事態になったときには、システムエラー状態になる。
【００２３】
ここで、古紙処理装置の他の状態として、使用者を含むユーザ側のための管理者モードと、古紙処理装置の保守のための保守用ＤＩＡＧモードとがある。
また、スタンバイ状態のときに図示しないスタートボタンが所定の時間押し続けられると、マニュアルモードに移行する。このマニュアルモードでは、図示しないスタートボタンが押されている間は古紙の処理が継続される。なお、ファン２３は、制御部６により必要に応じて作動することになる。
【００２４】
次に、古紙処理装置の具体的な処理内容について説明する。スタンバイ状態のときに、投入部１１に古紙が投入されたことをペーパーセンサ９０が検出すると、制御部６の指示により破砕モータ３６および圧縮モータ４４が作動する。
投入された古紙は、第１の押付部材３４Ａによって第１の回転刃列３２Ａ（低速側）に押し付けられているので、第１の回転刃列３２Ａの回転刃３３Ａに引っ掛けられる。このため、破砕ユニット３の第１の回転刃列３２Ａおよび第２の回転刃列３２Ｂが回転すると、第１の回転刃列３２Ａの回転刃３２Ａに引っ掛けられた古紙は、第１の回転刃列３２Ａに巻き付きながら内部に１枚ずつ引き込まれていく。そして、噛合部３５にて、第１の回転刃列３２Ａに引っ掛けられた古紙は、第２の回転刃列３２Ｂによって剥ぎ取られ、破砕されていく。
細かくなった古紙はチップとなって、次工程（圧縮工程）を行う圧縮ユニット４へと落下していく。そして、大きな古紙は再び噛合部３５で破砕され、それでも細かく破砕されなかった古紙は、細かくなるまで噛合部３５の通過を繰り返す。このように、古紙処理装置はまず、投入された古紙を第１の回転刃列３２Ａと第２の回転刃列３２Ｂとの速度差で引きちぎってチップにしていく（細断処理）。
なお、第１の回転刃列３２Ａに巻き付いたほとんどすべての古紙が第２の回転刃列３２Ｂによって剥ぎ取られて第２の回転刃列３２Ｂに移動する。このため、第１の回転刃列３２Ａの回転刃３３Ａは、古紙によって埋まることなく常に露出し、古紙を引っ掛けるという第１の回転刃列３２Ａの機能が維持される。
【００２５】
破砕ユニット３により古紙が破砕されて形作られたチップは、圧縮ユニット４のホッパ４１に落下し、筒状部材４２の上端部分４２ａから筒状部材４２の中に入っていく。筒状部材４２の中では、チップは、圧縮モータ４４の駆動力で回転しているスクリュ４３により、筒状部材４２の下端部分４２ｂに向けて押し進められる。その一方で、筒状部材４２の下端部分４２ｂは絞り形状になっているので、チップは、筒状部材４２の中を通過する際に所定の抵抗力を受ける。このようにして、筒状部材４２の中においてスクリュ４３の押付力でチップが圧縮され、やがて筒状部材４２から嵩張らないチップの塊になって押し出される。
【００２６】
圧縮ユニット４により形成されたチップの塊は、スクリュ４３の押付力によって、ダクト２１内を移送される。ダクト２１の下流端２１ａは、ボックス２２の上方に位置しているので、チップの塊は、ダクト２１から押し出されると、ボックス２２内へと排出される。
ボックス２２内のチップは、開閉扉２５を開けてボックス２２ごと本体部２から運び出されて回収される。なお、回収されたチップは、紙の繊維が寸断されていないので、再資源化を容易に実現することができる。また、回収されたチップは、古紙を不定形かつ不規則に破砕したものであるので、高い機密性を保持することができる。
【００２７】
次に、古紙処理装置のログの保存について図３および図４を用いて説明する。
図３は、制御部６の一部を示すブロック図であり、図４は、制御部６のＮＶＭ６０を説明するための説明図である。
図３に示すように、古紙処理装置は、制御部６（図２参照）の一部を構成するＮＶＭ６０（nonvolatile memory）を有する。なお、ここにいうＮＶＭ６０は、電源を切っても記憶内容を保持することができる半導体メモリであり、例えばフラッシュメモリ等である。ＮＶＭ６０は不揮発性メモリとも呼ばれる。
そして、図３に示すように、ＮＶＭ６０の領域は、複数の領域に分割されている。すなわち、ＮＶＭ６０の領域は、第１の領域６１と第２の領域６２と第３の領域６３とに分割されている。そして、第１の領域６１はさらに、通常操作用領域６１ａ、通常エラー用領域６１ｂ、紙詰まり用領域６１ｃ及びシステムエラー用領域６１ｄという４つの領域に細分されている。なお、ＮＶＭ６０の領域への書込み等の動作は、例えばプログラム制御されたＣＰＵ(Central Processing Unit)などで実現される。
【００２８】
第１の領域６１に含まれる通常操作用領域６１ａ、通常エラー用領域６１ｂ、紙詰まり用領域６１ｃ及びシステムエラー用領域６１ｄの各々は、リングバッファ(RingBuffer)で構成されている。
このリングバッファは、循環バッファとも呼ばれるもので、図４に示すように、先頭のインデックス(index)から順にログデータが書き込まれ、末尾のインデックスまで書き込まれたら、次のデータは先頭のインデックスに上書きしていくものである。このようにリングバッファは、先入れ先出し（FIFO：First In First Out）方式であり、末尾のインデックスまで使用すると、その次は先頭のインデックスから使用されるため、書き込まれたのが古い順に消去されていく。言い換えると、新しいデータが書き込まれるたびに最も古いデータが消されていくことになる。このようにリングバッファはエンドレス構成であることから、リングバッファを用いると、メモリの有効利用を図ることができる。
付言すると、リングバッファは、データ書込みインデックス（データ書き込みポインタ）と読み出しインデックス（読み出しポインタ）を持っている。そして、書き込み時は書き込みインデックスの示すアドレスの後に順次格納し、読み出し時は読み出しインデックスの示すアドレスから順番に読み出すことで、バッファとして機能させている。リングバッファの動作はデータの書き込み／読み出しとインデックス（ポインタ）の移動のみであり、処理が軽いことから、高速処理に適していると言える。
【００２９】
ここで、通常操作用領域６１ａには、「通常操作」というイベントカテゴリに属するログデータが書き込まれる。また、通常エラー用領域６１ｂには、「通常エラー」というイベントカテゴリに属するログデータが書き込まれる。また、紙詰まり用領域６１ｃには、「紙詰まり」というイベントカテゴリに属するログデータが書き込まれる。また、システムエラー用領域６１ｄには、「システムエラー」（第１のカテゴリ）というイベントカテゴリに属するログデータが書き込まれる。
このように通常操作用領域６１ａ、通常エラー用領域６１ｂ、紙詰まり用領域６１ｃ及びシステムエラー用領域６１ｄの各々には、後述するように、操作・運転時の事象発生がその時間（時刻）と共に記録される動作履歴の中の対応するイベントカテゴリのログデータが書き込まれる。なお、古紙の処理装置に接続した図示しない外部ＰＣ(Personal Computer)を使用して動作履歴の参照およびクリアを行うことができる。すなわち、使用者やメンテナンス担当者が外部ＰＣにより動作履歴を参照することができる。
また、第１の領域６１を通常操作用領域６１ａ、通常エラー用領域６１ｂ、紙詰まり用領域６１ｃ及びシステムエラー用領域６１ｄという４つの領域に分け、領域６１ａ〜６１ｄごとに、重要度に応じたイベントカテゴリを対応付けている。すべてのログを共通領域に保存するものではなく、通常操作とそれ以外の重要なログの領域が別であるため、通常操作の継続によって重要なログが消えることがない。すなわち、重要なログは、発生頻度が少ないので、比較的長期間にわたり保持することが可能になる。
また、通常操作用領域６１ａ、通常エラー用領域６１ｂ、紙詰まり用領域６１ｃ及びシステムエラー用領域６１ｄはいずれも、同一メモリである第１の領域６１を分割して構成しているが、通常操作用領域６１ａ、通常エラー用領域６１ｂ、紙詰まり用領域６１ｃ及びシステムエラー用領域６１ｄを異なるメモリに割り付けることも考えられる。一例を挙げると、システムエラー用領域６１ｄを内部メモリ（制御部６）に割り付け、通常操作用領域６１ａ、通常エラー用領域６１ｂおよび紙詰まり用領域６１ｃを外部メモリに割り付けるように構成することである。
【００３０】
４つのイベントカテゴリのうちで「システムエラー」が最も重要度が高い。すなわち、「システムエラー」には、通常の動作によるログデータの書込みに影響されることなく、そのまま消えずに残っている必要性が最も高いものが含まれる。「システムエラー」のイベントカテゴリに属するものとしては、システムエラーの発生と内部論理エラーとモータコントロールアラームとを挙げることができる。エラーの内容を予め定められた数字で示したＵコードやエラーコード、アラームコード等もログデータとして書き込まれる。
「システムエラー」の次に重要度が高いものは「紙詰まり」である。この「紙詰まり」のイベントカテゴリに属するものとしては、紙詰まり処理の開始および終了を挙げることができる。
「紙詰まり」の次には「通常エラー」の重要度が高い。この「通常エラー」のイベントカテゴリに属するものとしては、ドアオープン（図１又は図２に図示の開閉扉２５）等の警告系のエラーの発生および解除を挙げることができる。
【００３１】
イベントカテゴリのなかで重要度が一番低いのは「通常操作」である。この「通常操作」のイベントカテゴリに属するものとしては、上記以外のものすべてを挙げることができる。例えば、電源投入、破砕モータ３６の状態および圧縮モータ４４の状態を挙げることができる。破砕モータ３６の状態および圧縮モータ４４の状態としては、停止、通常運転、変速のいずれかになる。
「通常操作」のイベントカテゴリに属する他のものとして、モード遷移と設定値変更を挙げることができる。このモード遷移には、省電力状態への移行、省電力状態と管理者モードとの間での移行、処理状態（運転モード）と管理者モードとの間での移行、および、処理状態と保守用ＤＩＡＧモードとの間での移行が含まれる。また、設定値変更には、停止状態から省電力状態への移行時間の設定、報知音の設定および時刻の設定が含まれる。なお、設定値変更としては、設定値もログデータとして書き込まれる。
さらにまた、「通常操作」のイベントカテゴリに属する他のものとして、処理状態（通常モード細断処理）の開始および終了と、マニュアルスタートの開始および終了と、外部ＰＣによる制御の占有および開放とを挙げることができる。
なお、本実施の形態では、イベントカテゴリを４つに分けているが、重要度が最も高い「システムエラー」（第１のカテゴリ）と、「システムエラー」よりも重要性が低い「紙詰まり」、「通常エラー」および「通常操作」（第２のカテゴリ）という大きく２つに分けることも考えられる。
【００３２】
ＮＶＭ６０の第２の領域６２には、破砕モータ３６が作動している間にペーパーセンサ９０（図２参照）がＯＮとなっていた時間を累積した累積稼動時間Ｔが書き込まれる。すなわち、ペーパーセンサ９０がＯＮからＯＦＦになったときには、ペーパーセンサ９０のＯＮ持続時間（経過時間）Ｔ１が加算され、その加算後の累積稼働時間Ｔ（＝Ｔ＋Ｔ１）がＮＶＭ６０の第２の領域６２に書き込まれる。
ここで、第２の領域６２には、処理状態か否かという情報と細断開始からの経過時間（秒）とが逐次書き込まれる（退避される）。処理状態にもかかわらず電源断された場合であっても、細断開始から電源断までの時間が正しく累積されるようにするためである。すなわち、電源投入の段階で第２の領域６２に処理状態であるということが書き込まれていたときには、処理状態中に電源断されたことが分かる。したがって、第２の領域６２に書き込まれているＯＮ持続時間Ｔ１（秒）を累積稼働時間Ｔに加算する。このようにして、より正確な累積稼働時間Ｔを把握することができる。
そして、ペーパーセンサ９０のＯＮ持続時間Ｔ１が２５０ｍｓ以上継続したときに累積稼動時間Ｔへの加算を行う。言い換えると、２５０ｍｓ未満のＯＮ持続時間Ｔ１は累積稼動時間Ｔに加算しない。
なお、使用者は、古紙の処理装置の操作表示部５（図２参照）および外部接続した図示しない外部ＰＣにより、累積稼働時間Ｔを参照することができる。すなわち、使用者やメンテナンス担当者が外部ＰＣにより累積稼働時間Ｔを参照することができる。また、図示しない外部ＰＣにより累積稼働時間Ｔのクリア（リセット）を行うことができる。
【００３３】
ＮＶＭ６０の第３の領域６３には、古紙の処理装置が細断処理した累積細断処理枚数Ｍが書き込まれる。書き込むべき累積細断処理枚数Ｍをカウントする処理は、ボックス２２（図２参照）内のチップの積載高さをニア満杯センサ９６で計測することによって実行される。
ニア満杯センサ９６としては、例えば超音波センサを用いることができる。超音波センサの場合には、ボックス２２（図２参照）の上方のセンサ取り付け位置に、図示しない送信側センサと図示しない受信側センサとが例えば距離６０ｍｍを隔てて取り付けられている。そして、制御部６が、ニア満杯センサ９６からのセンサ出力を取得し、その値により古紙の枚数に換算する。例えば、廃棄前くず高さ距離をＡｍｍとし、廃棄後くず高さ距離をＢｍｍとすると、換算される用紙枚数Ｃは、
Ｃ ＝ (Ａ−Ｂ) × ５.２６
で算出される。そして、ＮＶＭ６０の累積細断処理枚数に上記用紙枚数Ｃを加算する。
なお、５.２６という値は、ボックス２２の積載高さに対する、破断された古紙の枚数値として、実験(経験則)により得られた値である。この換算係数は、古紙処理装置における細断方法やチップの圧縮技術の有無などによって異なった値が用いられる。
なお、古紙の処理装置の操作表示部５（図２参照）および外部接続した外部ＰＣにより、使用者は累積細断処理枚数を参照することができる。すなわち、使用者やメンテナンス担当者が外部ＰＣにより累積細断処理枚数を参照することができる。また、外部ＰＣにより累積細断処理枚数のクリア（リセット）を行うことができる。
【００３４】
次に、ＮＶＭ６０の第１の領域６１に動作履歴が書き込まれる際の処理手順について図５を用いて説明する。
図５は、動作履歴のログ出力についてのフローチャートである。
図５に示すように、電源投入された後の所定のタイミングでログが出力される。すなわち、細断処理がスタートしたとき（ステップ１０１）にはログが出力される（ステップ１０２）。また、細断処理が終了したとき（ステップ１０３）にもログが出力される（ステップ１０４）。また、システムエラーが発生したとき（ステップ１０５）にもログが出力される（ステップ１０６）。
動作履歴についてのイベントが発生すると、そのイベントのイベントカテゴリが制御部６により判別される（ステップ２０１）。
【００３５】
発生したイベントのイベントカテゴリが「通常操作」のときには、そのイベントが通常操作用領域６１ａに書き込まれ（ステップ２１１）、通常操作用書込みインデックスを進める（ステップ２１２）。そして、書込みインデックスが通常操作用領域６１ａの末尾に達したか否かを判定し（ステップ２１３）、達していないときにはイベント判別が終了する。通常操作用領域６１ａの末尾に達しているときには通常操作用書込みインデックスを通常操作用領域６１ａの先頭に設定し（ステップ２１４）、イベント判別が終了する。このようにするのは、第１の領域６１に含まれる通常操作用領域６１ａは、リングバッファで構成されているからである。また、第１の領域６１に含まれる通常エラー用領域６１ｂ、紙詰まり用領域６１ｃ及びシステムエラー用領域６１ｄの各々についてもリングバッファで構成されていることから、後述するように、同様な制御が行われる。
また、発生したイベントのイベントカテゴリが「通常エラー」のときには、そのイベントが通常エラー用領域６１ｂに書き込まれ（ステップ２２１）、通常エラー用書込みインデックスを進める（ステップ２２２）。そして、書込みインデックスが通常エラー用領域６１ｂの末尾に達したか否かを判定し（ステップ２２３）、達していないときにはイベント判別が終了する。通常エラー用領域６１ｂの末尾に達しているときには通常エラー用書込みインデックスを通常エラー用領域６１ｂの先頭に設定し（ステップ２２４）、イベント判別が終了する。
【００３６】
また、発生したイベントのイベントカテゴリが「紙詰まり」のときには、そのイベントが紙詰まり用領域６１ｃに書き込まれ（ステップ２３１）、紙詰まり用書込みインデックスを進める（ステップ２３２）。そして、書込みインデックスが紙詰まり用領域６１ｃの末尾に達したか否かを判定し（ステップ２３３）、達していないときにはイベント判別が終了する。紙詰まり用領域６１ｃの末尾に達しているときには紙詰まり用書込みインデックスを紙詰まり用領域６１ｃの先頭に設定し（ステップ２３４）、イベント判別が終了する。
また、発生したイベントのイベントカテゴリが「システムエラー」のときには、そのイベントがシステムエラー用領域６１ｄに書き込まれ（ステップ２４１）、システムエラー用書込みインデックスを進める（ステップ２４２）。そして、書込みインデックスがシステムエラー用領域６１ｄの末尾に達したか否かを判定し（ステップ２４３）、達していないときにはイベント判別が終了する。システムエラー用領域６１ｄの末尾に達しているときにはシステムエラー用書込みインデックスをシステムエラー用領域６１ｄの先頭に設定し（ステップ２４４）、イベント判別が終了する。
【００３７】
ここで、上述したように、破砕モータ３６および圧縮モータ４４について停止、通常運転、変速がログとして書き込まれる。したがって、そのログを解析することで、破砕モータ３６や圧縮モータ４４の起動が正常に行われているかを把握することができる。また、稼働時間の累積で部品交換の時期を把握することが可能になる。
そこで、破砕モータ３６および圧縮モータ４４が正常に起動する場合の動作タイミングについて図６および図７を用いて説明する。なお、破砕モータ３６および圧縮モータ４４の起動は、ペーパーセンサ９０で古紙の投入を検出したときに行われる。
図６は、ペーパーセンサ９０、破砕モータ３６および圧縮モータ４４の各動作タイミングを示すタイミングチャートである。
図６に示すように、スタンバイモードの場合に、制御部６（図２参照）が、ペーパーセンサ９０の検出結果に基づいて投入部１１に古紙が投入されたことを検出したときは、上述した細断処理を開始するために、破砕モータ３６および圧縮モータ４４が以下に示すように動作する。すなわち、スタンバイ状態のときに、投入部１１に古紙が投入されたことをペーパーセンサ９０が検出すると、制御部６（図２参照）の指示により破砕モータ３６および圧縮モータ４４が作動する。
なお、停止状態の場合に古紙の投入を検出したときには、図示しないスタートボタンが押されることでも、同様に細断処理が開始される。  
【００３８】
この起動タイミングとしては、ペーパーセンサ９０が古紙の投入を検出すると、その２００ｍｓ経過後にまず破砕モータ３６が５００ｍｓをかけて起動し、運転状態になる。そして、破砕モータ３６が起動を開始してから１秒後に圧縮モータ４４が５００ｍｓをかけて起動する。
また、ペーパーセンサ９０が投入部１１に投入された古紙がなくなったことを検出したときには、検出してから３秒後に破砕モータ３６が２００ｍｓをかけて制動し、停止状態になる。そして、破砕モータ３６が制動を開始してから５秒後に圧縮モータ４４の制動が開始され、２００ｍｓをかけて停止する。
このように、起動時においては、ペーパーセンサ９０での古紙投入の検出から破砕モータ３６の起動までの間は２００ｍｓの時間的ずれがある。また、破砕モータ３６の起動と圧縮モータ４４の起動との間には１秒の時間的ずれがある。そして、停止時においては、ペーパーセンサ９０での古紙がない状態を検出してから破砕モータ３６の停止を開始するまでの間は、３秒の時間的ずれがある。また、破砕モータ３６の停止と圧縮モータ４４の停止との間は、５秒の時間的ずれがある。
【００３９】
破砕モータ３６と圧縮モータ４４を同時に起動させないのは、次の理由による。破砕モータ３６および圧縮モータ４４の各々に供給できる電力には上限があることから、破砕モータ３６および圧縮モータ４４の各々に必要な起動電流が制限される。このため、破砕モータ３６の起動トルクが低下することにより、細断開始時の紙詰まりを引き起こす可能性がある。そこで、投入部１１に古紙が投入されている状態で破砕モータ３６および圧縮モータ４４を起動させる必要があるときには、圧縮モータ４４の起動を遅らせることにより、破砕モータ３６の起動電流を十分に確保して起動トルクの低下を防ぐことができる。したがって、投入部１１に古紙が投入されている状態で細断処理を開始した場合にも、起動トルクの低下による紙詰まりを防止することができる。
【００４０】
図７は、破砕モータ３６と圧縮モータ４４との起動タイミングを説明するためのグラフであり、（ａ）は、一般的な誘導モータ（インダクションモータ）起動時の回転速度と電流との関係を示すグラフで、（ｂ）は、破砕モータ３６と圧縮モータ４４とを同時に起動した場合のモータ回転速度と電流との関係を示すグラフで、（ｃ）は、破砕モータ３６と圧縮モータ４４とを時間差をもって起動した場合のモータ回転速度と電流との関係を示すグラフである。（ａ）〜（ｃ）の上側のグラフは、縦軸がモータ回転速度、横軸が経過時間を示している。また、（ａ）〜（ｃ）の下側のグラフは、縦軸が電流の大きさ、横軸が経過時間を示している。
図７の（ａ）に示すように、誘導モータの起動時や加速時には、定常時に比べて大電流が必要である。このため、図７の（ｂ）に示すように、破砕モータ３６と圧縮モータ４４とを同時に起動しようとすると、破砕モータ３６と圧縮モータ４４との合計電流値が供給電流制限値を超える場合がある。すなわち、破線部分では、システムの供給制限を超えている。したがって、破砕モータ３６および圧縮モータ４４を所定の回転数に起動することができないという事態が発生し得る。
その一方で、図７の（ｃ）に示すように、破砕モータ３６を起動させてから圧縮モータ４４を起動させると、破砕モータ３６と圧縮モータ４４との合計電流値が供給電流制限値を超えず、したがって、破砕モータ３６および圧縮モータ４４を所定の速度に起動できるようになる。
【００４１】
以上、本実施の形態について説明したが、ログの保存により次のような応用例が考えられる。すなわち、エラー頻度によりモータの自己改善を行うようにすることである。例えば、圧縮モータ４４の停止エラーが頻発するようであれば、圧縮モータ４４のトルクアップまたは破砕モータ３６の処理能力のダウンを行うようにする。また、紙詰まりにより破砕モータ３６が停止するときには、破砕モータ３６のトルクアップを行うようにする。このように、保存されたログを解析することにより、モータの自己改善を行うことができる。
また、他の応用例として、古紙の処理装置の交換部品の各々について規定稼動時間を予め登録しておき、ＮＶＭ６０の第２の領域６２に保存している累積稼動時間Ｔが規定稼働時間に達したら、操作表示部５（図２参照）および図示しない外部ＰＣに通知することも考えられる。
【００４２】
また、他の応用例を図８を用いて説明する。
図８は、Ｅｃｏ率を説明するための説明図である。
古紙処理装置がプリンタや複写機とオンラインで接続されている構造において、Ｅｃｏ（エコ）率を算出することができる。どの程度の割合で用紙がリサイクルされているかが分かる。すなわち、図８に示すように、プリンタがプリントした枚数をＤ、複写機がコピーした枚数をＥ、古紙処理装置が細断処理した枚数をＦとすると、
Ｅｃｏ率＝Ｆ÷（Ｄ＋Ｅ）
で算出することができる。このＥｃｏ率が高いほど再資源化する古紙が増える。すなわち、このＥｃｏ率を目安にして目標値を設定することで、使用者のリサイクル意識を高めることができるようになる。
【図面の簡単な説明】
【００４３】
【図１】本実施の形態に係る古紙の処理装置を示す概略構成図である。
【図２】古紙の処理装置の内部を示す概略構成図である。
【図３】制御部の一部を示すブロック図である。
【図４】制御部のＮＶＭを説明するための説明図である。
【図５】動作履歴のログ出力についてのフローチャートである。
【図６】ペーパーセンサ、破砕モータおよび圧縮モータの各動作タイミングを示すタイミングチャートである。
【図７】破砕モータと圧縮モータとの起動タイミングを説明するためのグラフである。
【図８】Ｅｃｏ率を説明するための説明図である。
【符号の説明】
【００４４】
６０…ＮＶＭ、６１…第１の領域、６１ａ…通常操作用領域、６１ｂ…通常エラー用領域、６１ｃ…紙詰まり用領域、６１ｄ…システムエラー用領域、６２…第２の領域、６３…第３の領域、Ｔ…累積稼動時間、Ｍ…累積細断処理枚数
【図１】
2006159105.tif 000003
【図２】
2006159105.tif 000004
【図３】
2006159105.tif 000005
【図４】
2006159105.tif 000006
【図５】
2006159105.tif 000007
【図６】
2006159105.tif 000008
【図７】
2006159105.tif 000009
【図８】
2006159105.tif 000010